(57)【要約】【課題】清掃用具を所望の位置に確実に位置決めできる清掃用具保持装置を提供する。【解決手段】清掃用具保持装置１０は、清掃用具を保持するための保持部１１と、保持部１１に連続して設けられたグリップ部２０と、保持部１１を、グリップ部２０に対して回転軸１３を中心に相対的に回転可能に保持するための回転保持部３０とを含む。回転保持部３０は、保持部１１に連続して設けられた第１保持部材３１と、グリップ部２０に連続して設けられた第２保持部材３６と、第１保持部材３１と第２保持部材３６とを回転軸１３を中心に回転可能に保持するとともに、任意の回転位置において停止させる操作部材５０とを含む。第１保持部材３１と第２保持部材３６とは、回転軸１３に対して交わる方向において、相互に係合する平面を有し、操作部材５０を操作することによって、第１保持部材３１と第２保持部材３６に設けられた、相互に係合可能な平面が離合する。【選択図】図１
2008173192.tif 000002
【特許請求の範囲】
【請求項１】
清掃用具を保持するための保持部と、
前記保持部に連続して設けられたグリップ部と、
前記保持部を、前記グリップ部に対して所定の回転軸を中心に相対的に回転可能に保持するための回転保持部とを含み、
前記回転保持部は、前記保持部に連続して設けられた第１保持部材と、
前記グリップ部に連続して設けられた第２保持部材と、
前記第１保持部材と前記第２保持部材とを前記回転軸を中心に回転可能に保持するとともに、任意の回転位置において停止させる操作部材とを含み、
前記第１保持部材と前記第２保持部材とは、前記回転軸に対して交わる方向において、相互に係合する平面を有し、
前記操作部材を操作することによって、前記第１保持部材と前記第２保持部材に設けられた、前記相互に係合可能な平面が離合する、清掃用具保持装置。
【請求項２】
前記操作部材は、前記第１保持部材と前記第２保持部材とを相互に引き離す引き離し部材と、前記第１保持部材と前記第２保持部材とを前記引き離し部材に対抗して相互に押し付ける押し付け部材とを含む、請求項１に記載の清掃用具保持装置。
【請求項３】
前記押し付け部材は、前記係合可能な平面が係合するときは前記係合可能な平面に沿う第１方向に曲げられ、前記係合可能な平面が離れるときは前記第１方向に交わる第２方向に曲げられるレバーを含む、請求項２に記載の清掃用具保持装置。
【請求項４】
前記清掃用具は、窓拭きワイパーである、請求項１から３のいずれかに記載の清掃用具保持装置。
【発明の詳細な説明】
【技術分野】
【０００１】
この発明は、窓拭きワイパー用のゴム板のような清掃用具を保持するための清掃用具保持装置に関し、特に、清掃用具を所望の角度にセットして使用できる清掃用具保持装置に関する。
【背景技術】
【０００２】
従来の、清掃用モップやガラスなどの窓拭きワイパー等の清掃具において、ワイパー等を保持した清掃具をハンドルに対して回転可能に接続する接続部が、たとえば、実開昭６１−２０２７９号公報（特許文献１）に開示されている。同公報によれば、接続部は、それぞれが円筒形状を有する、清掃用具を保持する周壁と、ハンドルを保持するケーシングとが対向して配置され、それらが円周方向で係合して、ハンドルと清掃用具との角度が調整されている。
【特許文献１】実開昭６１−２０２７９号公報（図１〜図６、および、それに関連する記載）
【発明の開示】
【発明が解決しようとする課題】
【０００３】
従来の清掃用具保持装置は上記のように構成されていた。ハンドルと清掃用具とがなす角度の調整は、ハンドルと清掃用具の保持部とのそれぞれに接続された部材の内周と外周とをそれぞれ係合させるようにして行われていた。しかしながら、このような構造では、係合部が円周方向において隣接するため、隣接する係合部間の距離を細かくできず、また、使用するうちに、係合部が丸くなり、位置決めが困難になるという問題があった。
【０００４】
この発明は上記のような問題点に鑑みてなされたもので、清掃用具を所望の位置に確実に位置決めできる清掃用具保持装置を提供することを目的とする。
【課題を解決するための手段】
【０００５】
この発明に係る清掃用具保持装置は、清掃用具を保持するための保持部と、保持部に連続して設けられたグリップ部と、保持部を、グリップ部に対して所定の回転軸を中心に相対的に回転可能に保持するための回転保持部とを含み、回転保持部は、保持部に連続して設けられた第１保持部材と、グリップ部に連続して設けられた第２保持部材と、第１保持部材と第２保持部材とを回転軸を中心に回転可能に保持するとともに、任意の回転位置において停止させる操作部材とを含む。第１保持部材と第２保持部材とは、回転軸に対して交わる方向において、相互に係合する平面を有し、操作部材を操作することによって、第１保持部材と第２保持部材に設けられた、相互に係合可能な平面同士が離合する。
【０００６】
操作部材が保持部とグリップ部とを相対的に回転させたり停止させるための相互に係合可能な平面同士が、操作部材の操作によって係合したり離れたりするため、保持部をグリップ部に対して所望の位置で確実に位置決めできる。
【０００７】
その結果、清掃用具を所望の位置に確実に位置決めできる清掃用具保持装置を提供できる。
【０００８】
好ましくは、操作部材は、第１保持部材と第２保持部材とを相互に引き離す引き離し部材と、第１保持部材と第２保持部材とを引き離し部材に対抗して相互に押し付ける押し付け部材とを含む。
【０００９】
さらに好ましくは、押し付け部材は、係合可能な平面が係合するときは係合可能な平面に沿う第１方向に曲げられ、係合可能な平面が離れるときは第１方向に交わる第２方向に曲げられるレバーを含む。
【００１０】
なお、清掃用具は、窓拭きワイパーであってもよい。
【発明を実施するための最良の形態】
【００１１】
以下、この発明の実施の形態を、図面を参照して説明する。図１はこの発明の一実施の形態に係る清掃用具保持装置の全体構成を示す図である。ここに示す清掃用具保持装置１０は、窓拭きワイパーに適用されて、保持部１１に図示のないゴム板が取付けられる。
【００１２】
図１を参照して、清掃用具保持装置１０は、清掃用具を保持するための保持部１１と保持部１１に連続して設けられたグリップ部２０と、保持部１１を、グリップ部２０に対して回転軸１３を中心に相対的に回転可能に保持するための回転保持部３０とを含む。回転保持部３０は、保持部１１に連続して設けられた第１保持部材３１と、グリップ部２０に連続して設けられた第２保持部材３６と、第１保持部材３１と第２保持部材３６とを回転軸１３を中心に回転可能に保持するとともに、任意の回転位置において停止させる操作部材５０とを含む。第１保持部材３１と第２保持部材３６とは、回転軸１３に対して交わる方向において、後に説明するように、相互に係合する平面を有している。操作部材５０を操作することによって、第１保持部材３１と第２保持部材３６に設けられた、相互に係合可能な平面が離合する。
【００１３】
次に清掃用具保持装置１０の具体的構成について説明する。図２は清掃用具保持装置１０を構成する個々の部品を説明する分解斜視図であり、図３は、清掃用具保持装置１０を組み立てた状態の正面図（Ａ）と、図（Ａ）においてＢ-Ｂで示す平面図（Ｂ）と、図（Ａ）においてＣ-Ｃで示す下面図（Ｃ）と、図（Ａ）においてＤ-Ｄで示す側面図（Ｄ）である。
【００１４】
図２および図３を参照して、清掃用具保持装置１０の保持部１１は、窓拭き用のゴム板等（図示なし）の清掃用具を保持するための第１および第２清掃用具保持部材１２、１６と、第１および第２清掃用具保持部材１２、１６を、間に清掃用具を挟んで相互に連結するためのねじ１４ａ，１４ｂおよびねじ穴１５ａ，１５ｂとを含む。保持部１１の下部は回転保持部３０を構成する円筒状の第１保持部材３１に接続されている。第１保持部材３１は、円筒部３２と、円筒部３２の一方側に設けられ、中央部に円形の開口部３３を有する壁部３４とを含む。壁部３４の他方側には、円周方向に設けられ、所定の幅を有する歯面を有する第１係合面３５が設けられている。なお、この第１係合面３５の形状は、後に説明する第２係合面と同じである。
【００１５】
清掃用具保持装置１０のグリップ部２０は、清掃用具保持装置１０を用いて作業をするときに使用者が把持するグリップ本体２１と、グリップ本体２１の上部に設けられ、回転保持部３０を構成する円筒状の第２保持部材３６とを含む。第２保持部材３６は、円筒状の円筒部３７と、円筒部３７の内部の軸方向のほぼ中央部に設けられた壁部３８とを含み、壁部３８には矩形状の貫通孔４０が設けられている。なお、貫通孔４０の周囲には軸方向に突出した矩形状の突出部３９が設けられている。
【００１６】
なお、壁部３８の反対側（図では見えない裏面側）には貫通孔４０の対角線をほぼ直径とする外周壁を有する突起部が設けられている。この外周壁によってドーナツ状のワッシャ４６がガイドされ、ワッシャ４６の裏面に対向する壁部３４がグリップ部２０に対して所望の向きに回転可能になる。なお、ワッシャ４６は、対向する両面が滑らか回転するような平滑面を有する材料で構成されている。
【００１７】
グリップ部２０の円筒部３７の下端部の保持部１１側には、円弧状のガイド部２２が設けられ、このガイド部２２に沿って第１保持部材３１の円筒部３２の外周部が回転する。
【００１８】
次に操作部材５０について説明する。操作部材５０は、第１保持部材３１の円筒部３２の円形の開口部３３、ワッシャ４６、第２保持部材３６の円筒部３７の矩形の貫通孔４０を貫通するように設けられ、後に説明するねじ４４および円板４１とともに、保持部１１およびグリップ部２０を一体化し、保持部１１をグリップ部２０に対して所望の角度に回転操作するために設けられる。
【００１９】
操作部材５０は、両端部において矩形状の突出部である第１および第２角軸部５２，５４を有し、それで角部材５２，５４より大きい径を有する円筒形の円筒部５３を挟むように構成された軸部材５１と、軸部材５１のグリップ部２０とは反対側に設けられた係合部５６と、係合部５６のグリップ部２０とは反対側に設けられたレバー６０とを含む。なお、第１角軸部５２がグリップ部２０側に配置される。この軸部材５１が回転軸１３として機能する。
【００２０】
操作部材５０が組み立てられて、第１保持部材３１の開口部３３および第２保持部材３６の貫通孔４０を貫通してこれらがワッシャ４６を挟んで組み立てられたとき、軸部材５１のグリップ部２０側の矩形状端面は、第２保持部材３６の矩形状の突出部３９と同一面、または、それより多少凹んだ位置に位置する。好ましくは、後に説明するように、レバー本体６１を図２等に示すようにグリップ部２０の方向に沿うように曲げたとき、多少凹み、図３（Ｄ）において矢印Ａ方向へ向けたときに、同一面となるように組み立てられるのが好ましい。
【００２１】
また、このように、軸部材５１が第１および第２角軸部５２，５４を有し、それによって、操作部材５０グリップ部２０とが係合するとともに、ワッシャ４６を介して第１保持部材３１と第２保持部材壁部３６とが回転するため、グリップ部２０と操作部材５０との基本的な位置関係を変えることなく、グリップ部２０に対して所望の向きに保持部１１を回転可能になる。その結果、誰でも容易に保持部１１の向きを変えることができる。
【００２２】
係合部５６は円筒形であり、そのグリップ部２０側の外周部から内周側に一定の幅を有する凹凸状の第２係合面５７が設けられており、この第２係合面５７が第１係合面３５に係合可能になっている。係合部５６の中央部には矩形状の貫通孔５６ａが設けられており、この貫通孔５６ａを第２角軸部５４が貫通する。また、第２係合面５７と円周部５３との間を離すように付勢する、引き離し部材としてのコイル状のばね５５がこれらの間に設けられている。このため、ばね５５に対抗して第２係合面５７を第１係合面３５に押し付ければ、両者の係合面が係合する。したがって、第２係合面５７と第１係合面３５とが上記した相互に係合する平面に対応する。
【００２３】
レバー６０は、半円形で全体としてＵ字状の平板状であるレバー本体６１を含む。レバー本体６１のＵ字を構成する２つの側部６２の端部近傍には、貫通孔６７がそれぞれ設けられている。一方、第２角軸部５４の端部には貫通孔５４ａが設けられ、これらの貫通孔５４ａ，６７を貫通してピン５９が挿入され、それによって、レバー６０はピン５９を中心として図３（Ｄ）において矢印Ａで示す方向に回転可能になる。
【００２４】
レバー６０は、Ｕ字状の頂部６５と、図２等に示す第１および第２係合面３５，５７の係合時に、第２係合面５７の裏面５７ａに当接する第１面６３と、頂部６５と第１面６３とを曲線で接続する曲面６４と、第１面６３の裏面である第２面６６とを含む。
【００２５】
図３（Ｄ）に示すように、レバー本体６１は、その側部６２側から見ると、貫通孔６７から第１面６３までの距離ａに対して、貫通孔６７から頂部６５までの距離ｂの方が大きい。このため、レバー本体６１を図３（Ｄ）に示すようにグリップ部２０の延びる方向に倒されている状態から、矢印Ａ方向に上げ、頂部６５が係合部５６の第２係合面５７の裏面５７ａに当接するようにすると、第２係合面５７をばね５５に対抗して第１係合面３５に係合させた状態から、第２係合面５７と第１係合面３５との係合が解かれた状態に変化する。
【００２６】
すなわち、図２において、ばね５５に対抗して係合部５６が第１保持部材３１側に押され、それによって、第１係合面３５と第２係合面５７とが係合する。したがって、レバー本体６１は、引き離し部材に対抗する押し付け部材として作動する。
【００２７】
このように、レバー本体６１を上下に操作するだけで、簡単に第１係合面３５と第２係合面５７とを係合させたり、離隔させたりできるため、ワンタッチで清掃用具のグリップ部２０に対する角度を変えることができる。
【００２８】
グリップ部２０の上端部のレバー６０とは反対側には、中央部に凹部４２および貫通孔４３を有する円板４１が円周部３７の内部に収納可能に設けられる。円板４１の凹部４２にはねじ４４が収納可能に設けられる。このねじ４４は、軸部材５１のグリップ部２０側の端部に設けられたねじ穴５８に係合し、このねじ４４を締めることによって、保持部１１、グリップ部２０および操作部材５０が一体化される。
【００２９】
なお、円板４１の裏面には矩形状の凹部が設けられており、この凹部が矩形状の突出部３９に嵌まり込むように構成するのが好ましい。
【００３０】
次に、清掃用具保持装置１０の操作方法について説明する。清掃用具保持装置１０を図１または図３（Ａ）に示したグリップ部２０に対して保持部１１が直交している状態から斜めになるようにする場合の手順について説明する。
【００３１】
グリップ部２０に対して保持部１１が所定の角度（ここでは直角）に保持されている状態、すなわち、第１係合面３５と第２係合面５７とがばね５５に対抗して係合している状態では、図２や図３（Ｄ）に示すようにレバー本体６１は、グリップ部２０の延びる下方向に向いている。この状態から、まず、図１や図３（Ｄ）において矢印Ａで示すように操作部材５０のレバー本体６１を持ち上げて、頂部６５が裏面５７ａに当接するようにする。すると、上記したように、寸法ａとｂとは、ａ＜ｂの関係にあるため、係合部５６がばね５５によってグリップ部２０側から押し戻され、第１係合面３５と第２係合面５７との凹凸部が相互に離れて、保持部１１に連続した第１保持部材３１は、軸部材５１を中心として、グリップ部２０に連続した第２保持部材３６に対して任意の方向に回転可能になる。
【００３２】
このように、この実施の形態によれば、操作部材５０が保持部１１とグリップ部２０とを相対的に回転させたり停止させるための第１係合面３５と第２係合面５７とが、操作部材５０の操作によって係合したり離れたりするため、保持部１１をグリップ部２０に対して所望の位置で確実に位置決めできる。
【００３３】
また、この実施の形態においては、操作部材５０が保持部１１とグリップ部２０とを相対的に回転させたり停止させるための第１係合面３５と第２係合面５７との当接方向と、操作部材５０によって力が付与される方向とをあわせたため、保持部１１をグリップ部２０に対して所望の位置でより確実に位置決めできる。
【００３４】
また、上記実施の形態においては、操作部材５０を構成する要素が軸部材５１によって一体化されるため、組み立てが簡単になる。なお、操作部材５０としては、一体化されない構成であってもよい。
【００３５】
次にこの発明の他の実施の形態について説明する。上記実施の形態においては、清掃用具保持装置として、窓拭きワイパーを例に上げて説明したが、この実施の形態においては、内部に円筒状の穴を有したスポンジや布のような清掃用具を取り付け可能な円筒状の保持部を有する全体としてＴ字状の清掃用具保持装置７０に適用した場合について説明する。
【００３６】
図４から図６は、この実施の形態における図１から図３に対応する図である。保持部材１１が、ゴム板を保持する形状と異なり、円筒状である点を除いて、基本的に先の実施の形態と同じであるので、対応する部分に先の実施の形態と同じ参照符号を付して、その説明は省略する。
【００３７】
なお、上記実施の形態においては、清掃用具保持装置として、窓拭きのようなゴム板を保持する構成を有する場合と、円筒状の保持部を有する場合について説明したが、これに限らず、この発明に係る清掃用具保持装置の機構は、任意の形状を有する清掃用具保持装置に適用可能である。
【００３８】
また、上記実施の形態においては、回転保持部を構成する第１保持部材を保持部に連続して設け、第２保持部材をグリップ部に連続して設ける場合について説明したが、これに限らず、相互に逆に設けてもよいし、別部品としてもよい。
【００３９】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００４０】
この発明に係る清掃用具保持装置は、清掃用具の保持部をグリップ部に対して所望の位置に確実に保持できるため、清掃用具保持装置として有利に使用される。
【図面の簡単な説明】
【００４１】
【図１】この発明の一実施の形態に係る清掃用具保持装置の全体構成を示す図である。
【図２】清掃用具保持装置の分解斜視図である。
【図３】清掃用具保持装置を示す図である。
【図４】この発明の他の実施の形態に係る清掃用具保持装置の全体構成を示す図である。
【図５】他の実施の形態に係る清掃用具保持装置の分解斜視図である。
【図６】他の実施の形態に係る清掃用具保持装置を示す図である。
【符号の説明】
【００４２】
１０，７０  清掃用具保持装置、１１  保持部、１３  回転軸、２０  グリップ部、２１  グリップ本体、２２  ガイド部、３０  回転保持部、３１  第１保持部材、３４  第１係合面、３６  第２保持部材、４４  ねじ、５０  操作部材、５１  軸部材、５２  第１角軸部、５４  第２角軸部、５５  ばね、５７  第２係合面、５９  ピン、６０  レバー、６１  レバー本体。
【図１】
2008173192.tif 000003
【図２】
2008173192.tif 000004
【図３】
2008173192.tif 000005
【図４】
2008173192.tif 000006
【図５】
2008173192.tif 000007
【図６】
2008173192.tif 000008